(57)【要約】      （修正有）【課題】手の作業の感覚があり、且つ、手指、とりわけ爪部分を効果的に保護できる洗浄具を提供する。【解決手段】通気性を有すると共に伸縮性を有する素材で形成された手首口１１と指挿入部１２を有する手袋型の食器洗浄具であって、洗浄具の指挿入部は、幅方向の中央辺より左右に略均等とした袋状に形成されていることを特徴としている。【選択図】図１
0003109344.tif 000002
【実用新案登録請求の範囲】
【請求項１】
通気性を有すると共に伸縮性を有する素材で形成された手首口と指挿入部を有する手袋型の指先保護具であって、該洗浄具の指挿入部は、幅方向の中央辺より左右に略均等とした袋状に形成されていることを特徴とする指先保護具。
【請求項２】
前記指挿入部のそれぞれが少なくとも母指を除く他の４指が素材の伸縮性を利して挿入できる程度の大きさであることを特徴とする請求項１記載の指先保護具。
【請求項３】
指先保護具の手首口には、該手首口を縮小させて手首にフィットさせる伸縮材が使用されていることを特徴とする請求項１記載の指先保護具。
【請求項４】
前記指先保護具の手首口には、該手首口を縮小させて手首にフィットさせる紐状部材が設けられていることを特徴とする請求項１記載の指先保護具。
【請求項５】
前記指先保護具の素材が通水性も備えていることを特徴とする請求項１記載の指先保護具。
【考案の詳細な説明】
【産業上の利用分野】
【０００１】  本考案は、食器の洗浄、洗顔、就寝時に手指を保護することを可能とした指先保護具に関する。
【背景技術】
【０００２】  従来、食器等を水洗する際、洗浄剤等を併用する場合には、皮膚を痛めることを懸念してゴム製の手袋を使用して洗浄することが知られている。
【考案が解決しようとする課題】
【０００３】  しかしながら、上記の手袋を使用した場合には、手の感覚が損なわれたり、水を通過させないため、発汗によるぬめり等が生じて使いづらかったり、また、メンテナンスが面倒である等の問題があることから、直接、スポンジ等を把持して素手で洗浄する者も多い。一方で、最近では、ファッションとして付け爪等を使用している人も多いことから、素手で洗浄する際には、付け爪をはがす等の面倒が生じており、このため、手の作業の感覚があり、且つ、手指を保護できる洗浄具が求められている。
【課題を解決するための手段】
【０００４】  上記した課題を解決する為に本考案の手袋型指先保護具の主たる特徴は、通気性を有すると共に伸縮性を有する素材で形成された手首口と指挿入部を有する手袋型の指先保護具であって、該洗浄具の指挿入部は、幅方向の中央辺より左右に略均等とした袋状に形成されていることを特徴としている。
【０００５】  上記の構成によれば、通気性を有すると共に伸縮性を有する素材で形成された手首口と指挿入部を有する手袋型の指先保護具としたことで、手と同様の触感で食器を洗浄できると共に、手指を、直接、食器に接触させずに保護することが可能である。加えて、付け爪をした人が作業した場合に、食器で爪を引っ掛けて剥離する等の心配がない。
【０００６】  また、本考案の洗浄具は、指挿入部が、幅方向の中央辺より左右に略均等とした袋状に形成され、且つ、指挿入部のそれぞれが素材の伸縮性を利して少なくとも母指を除く他の４指が挿入できる程度の大きさで形成しているため、左右・表裏を気にして使用する必要がなく、また、その手首口には、手首口を縮小させて手首にフィットさせる伸縮材または、紐状部材が設けられていることで、安定的に使用することができる。
【０００７】  尚、本考案の指先保護具は、通気性で且つ伸縮性の素材を使用しており、就寝時に着用することで爪を保護しつつ、不快感を与えることがない。
【０００８】  加えて、通水性を備えさせることで、食器洗浄の際に使い心地を良くすることができ、また、細かな網目状の素材とすることで、洗顔に適したものとする等の様々な形態が可能である。
【実施例】
【０００９】  以下、本考案の一実施を図面に基づいて説明する。
図１は本考案の指先保護具の全体図を示しており、図２は本考案の指先保護具の使用状態の説明図である。【００１０】  本考案に係わる指先保護具は、図１にて示すように、例えば、ナイロン等の繊維を編んでメッシュ状とした通気性及び／または通水性を有すると共に伸縮性を有する素材で形成されている。全体としては略手袋状に縫製して洗浄具本体１を形成されていて、手首口１１と指挿入部１２を有する指先保護具１としている。【００１１】  本考案の指先保護具１は、全体をメッシュ状の構造としているため編目部分が食器の表面に付着する汚れを擦り落す際に効果的に使用することができる。また、編目部分がスポンジのように多孔性を示すため、食器に付着した汚れを一旦吸収し、食器洗浄の後に、手を洗う感覚で付着した汚れを除去することが可能である。このため、洗剤を使用しないでも、ある程度の洗浄効果を出すことができる。また、抗菌剤等を付着させることで手に影響を与えないようにすることも可能である。【００１２】  前記洗浄具１の指挿入部１２は、幅方向の中央辺より左右に略均等とした袋状に形成されていて、双方のそれぞれが少なくとも母指を除く他の４指が挿入できる程度の大きさに形成されている。【００１３】  そして、指先保護具１の手首口１１には、該手首口１を縮小させて手首にフィットさせる伸縮材または、紐状部材が設けられている。【００１４】  本考案の指先保護具１を使用するに際しては、手首口１１より片手若しくは両手を挿入してこれを使用する。この際、前述の如く、指挿入部１２が、幅方向の中央辺より左右に略均等とした袋状に形成され、且つ、指挿入部１２のそれぞれが少なくとも母指を除く他の４指が挿入できる程度の大きさで形成しているため、左右・表裏を気にして填める必要がなく、何れかの状態で手首口１１より片手若しくは両手を挿入し、一方の指挿入部１２には親指をそのまま挿入すると共に、他方の指挿入部１２には素材の伸縮性を利して拡張させ乍ら人差し指から小指までの４指を挿入して使用する。【００１５】  また、装着に際しては、前記手首口１１の紐状部材１３を引いて締めると共に、該紐状部材１３を結わいて手首を固定し、手からの離脱を防止するように固定することで安定して使用することができる。【００１６】  本考案は、上記の状態で、食器の洗浄を行うものであるが、全体が細かなメッシュ構造としていることから、指先に付け爪等をしていても爪を引っ掛けて剥離させる心配がなく、食器の表面に付着する汚れを効果的に擦り落すことができる。【００１７】  上記の如く構成した本考案の指先保護具１は、手に簡単に填めることが可能であり、洗浄作業をきわめて能率的に確実に行なうことができる。
【考案の効果】
【００１８】  本考案は、前述の如く、そして、手袋状に形成した指先保護具を手に填めて使用することにより、食器等を手の触感を残したまま洗浄することができるので、洗浄作業を能率的に行なうことができると共に、手や指、とりわけ爪部分を効果的に保護することかできる。また、簡素な構造であるために、保管スペースをとる必要性が殆どなく、使用後は、単に乾燥させるだけで繰り返し使用することができるので、メンテナンス性等にも優れている。また、本考案の指先保護具は、食器の洗浄用具としてだけでなく、洗顔用、就寝時の爪部分の保護具として使用することが可能である。
【図面の簡単な説明】
【００１９】
【図１】本考案の指先保護具の全体説明図である。
【図２】本考案の指先保護具の使用状態の説明図である。
【符号の説明】
【００２０】１  指先保護具
１１  手首口
１２  指挿入部
１３  紐状部材
【図１】
0003109344.tif 000003
【図２】
0003109344.tif 000004